(57)【要約】  【課題】従来の室内緑化装置に比べて構造が簡易で取り扱いも著しく容易となり、製造コストも低減することができるとともに、室内における装飾効果を高めることができ、しかも、植物に供給する水は、複数の容器ユニットを支持することができる支持部材ごとに調整することができ、植物の取り替えは容器ユニットごとに行うことができる緑化用の容器ユニットシステムと、その容器ユニットシステムを用いた緑化工法を提供することを課題とする。  【解決手段】土壌等の植栽基盤とポット苗植物とが収容可能な容器ユニット本体の一面側に、該容器ユニット本体内に収容されるポット苗植物の植物体の部分を外部に裸出させうる開口部が形成された容器ユニットと、該容器ユニットを支持する支持部材とからなり、該支持部材には、前記容器ユニットを該支持部材に支持させた状態で前記容器ユニットと接触して該容器ユニット内に供給し得る水を貯留することができる貯水部が設けられていることを特徴とする【選択図】図１
2010220523.tif 000002
【特許請求の範囲】
【請求項１】
土壌（３０）等の植栽基盤とポット苗植物（３１）とが収容可能な容器ユニット本体（１）の一面側に、該容器ユニット本体（１）内に収容されるポット苗植物（３１）の植物体（３２）の部分を外部に裸出させうる開口部（６）が形成された容器ユニット（２０）と、該容器ユニット（２０）を支持する支持部材（４０）とからなり、該支持部材（４０）には、前記容器ユニット（２０）を該支持部材（４０）に支持させた状態で前記容器ユニット（２０）と接触して該容器ユニット（２０）内に供給し得る水を貯留することができる貯水部（４５）が設けられていることを特徴とする緑化用の容器ユニットシステム。
【請求項２】
容器ユニット本体（１）の底面側に凹状の掛止部（２８）、（２９）が形成され、該掛止部（２８）、（２９）が掛止可能な１対の掛止板（４１）、（４１）が、支持部材（４０）に設けられている請求項１記載の緑化用の容器ユニットシステム。
【請求項３】
支持部材（４０）の貯水部（４５）に貯留された水を容器ユニット（２０）内に浸入させる孔（１２）が、該容器ユニット（２０）の底部に形成されている請求項１又は２記載の容器ユニットシステム。
【請求項４】
土壌（３０）等の植栽基盤とポット苗植物（３１）とが収容可能な容器ユニット本体（１）の一面側に、該容器ユニット本体（１）内に収容されるポット苗植物（３１）の植物体（３２）の部分を外部に裸出させうる開口部（６）が形成されて構成された容器ユニット（２０）と、該容器ユニット（２０）を支持させた状態で前記容器ユニット（２０）と接触して該容器ユニット（２０）内に侵入させる水を貯留することができる貯水部（４５）を有する支持部材（４０）とを準備し、容器ユニット本体（１）内に土壌（３０）等の植栽基盤とポット苗植物（３１）を収容するとともに、該ポット苗植物（３１）の植物体（３２）の部分を前記容器ユニット本体（１）の一面側の開口部（６）から外部に裸出させ、前記貯水部（４５）内の水が前記容器ユニット（２０）内に侵入しうるように、該容器ユニット（２０）を前記支持部材（４０）に支持させて施工することを特徴とする緑化工法。
【請求項５】
水を浸入させるための孔（１２）を容器ユニット（２０）の底部に形成し、容器ユニット（２０）を支持部材（４０）に支持させるとともに、該容器ユニット（２０）の底部を前記支持部材（４０）の貯水部（４５）に貯留された水に浸漬させることによって、前記容器ユニット（２０）の底部の孔（１２）から前記支持部材（４０）の貯水部（４５）内の水を前記容器ユニット（２０）内に浸入させる請求項４記載の緑化工法。
【請求項６】
容器ユニット本体（１）に掛止部（２８）、（２９）を設けるとともに、該掛止部（２８）、（２９）に掛止可能な１対の掛止板（４１）、（４１）を支持部材（４０）に設け、該掛止板（４１）、（４１）に前記掛止部（２８）、（２９）を掛止させることによって、容器ユニット（２０）を支持部材（４０）に支持させる請求項４又は５記載の緑化工法。
【発明の詳細な説明】
【技術分野】
【０００１】
本発明は、緑化用の容器ユニットシステムと、その容器ユニットシステムを用いた緑化工法、さらに詳しくは、室内の壁面等の前面部側に設置することによって、その壁面等の前面部側を緑化する緑化用の容器ユニットシステムと、その容器ユニットシステムを設置して室内壁面等を緑化する緑化工法に関する。
【背景技術】
【０００２】
近年、都市緑化等の要請が高まり、それに応じて都市部における種々の場所、たとえば、公園、歩道等の場所で人為的に樹木を植設する等によって緑化が行われている。特に建築物、構築物等が立ち並ぶような場所では、自然木等が少ないので、そのような建築物、構築物等の壁面の緑化を行うことが盛んに試みられており、その緑化の工法として種々の方法がある。
【０００３】
その１つとして、たとえば建築物の屋上に植生パネル等を設置して緑化を行う屋上緑化と称される技術が開発され、普及しつつある。このような屋上緑化は、建築物の屋上で植物を栽培し、屋上面からの熱の吸収、放出を緩和することで、いわゆるヒートアイランド現象を抑制するものであり、また建築物の屋上で植物を栽培が行なわれることで、大気汚染等に対する環境改善を図ることも意図するものである。
【０００４】
また、このような屋上緑化のみならず、建築物の外壁に植物が植えられた植栽基盤を取り付けて緑化を行うことも行われている。このような建築物の外壁の緑化も、屋上緑化の場合と同様に、太陽光の照り返しを緩和し、ヒートアイランド現象の防止を図るものであるが、建築物の外壁は、屋上の場合と異なり、不特定多数の歩行者等に視認されうるので、建築物の外壁の意匠性を向上させるという観点も無視できない。
【０００５】
たとえば、複数の植物を組み合わせて、建築物の外壁に植栽すると、その建築物の外壁を種々のバリエーションで彩ることが可能となる。このように建築物の外壁
の緑化を行うことで、意匠性を向上させることができることから、このような壁面緑化を室内に適用して、建築物の室内空間の演出をするという要望も産業界に存在する。
【０００６】
しかしながら、このような建築物の室内における壁面緑化の技術は、現実にはほとんど普及していない。これは、緑化技術そのものが植物に対する灌水を必要とし、そのような灌水は当然のことながら水の飛散を伴い、また排水処理を必要とするため、その水の飛散に対する対処や排水処理の必要なことなどが室内の壁面緑化に合致しないためである。
【０００７】
このため、室内における壁面緑化の技術に関する特許出願も非常に少なく、そのような状況の中で、本発明者等は、下記特許文献１のような特許出願を見出した。この特許文献１に係る発明は、請求項１にも記載されているように、「外面に開口部を設け、内部に植物を植栽させるケースが壁面に取り付けられる壁面緑化装置であって、外面に少なくとも１つの開口部が設けられ、壁面に取り付けられる縦型のケースと、前記開口部より上方であって、前記ケース内の上部に設けられた上部液体室と、前記開口部より下方であって、前記ケース内の下部に設けられた下部液体室と、前記下部液体室に貯留された液体を前記上部液体室に送給する手段であって、前記下部液体室内に設けられた液体送給手段と、前記液体送給手段によって供給される液体の通路であって、前記下部液体室と前記上部液体室とを連通する連通手段と、前記開口部に対向するように前記ケース内に設けられた、植物が植栽される植栽部材とを備え、前記植栽部材は、植物を支持するための多孔質のシートからなる植物支持手段と、吸液性のシート部材と、を含み、前記植物支持手段と前記シート部材は互いに接触する部分を有し、前記シート部材の一端は、前記上部液体室内部まで延びており、他端は前記下部液体室へ向かって延びており、前記液体送給手段によって前記上部液体室に供給された液体は、前記シート部材を通って前記植物支持手段へ移動して植物に供給されることを特徴とする壁面緑化装置」に係るものである。
【０００８】
そして、このような構成とすることによって、当該特許文献１の明細書の段落［００１３］にも記載されているように、「植物に供給される液体はケース内部で循環されるので、余剰な液体をケースの外部に排出する必要が無く、排出された液体の飛散等の問題は生じない。」という効果が生じることとなる。
【０００９】
しかしながら、このような特許文献１に係る発明では、余剰な液体を外部に排出させない観点から、縦型のケース内の上部と下部とにそれぞれ液体室が設けられており、このようにケース内の上下に液体室を設けること自体、ケースの構成が複雑化し、組み立てや取り扱いが必ずしも簡易なものではない。
【００１０】
さらに、この特許文献１に係る発明では、下部液体室に貯留された液体を上部液体室に送給するための、循環水ポンプのような液体送給手段が下部液体室に設けられているので、この循環水ポンプのような液体送給手段を設けなければならないことのよって、装置全体が複雑化し、室内用の壁面緑化装置に適したものとは必ずしもいえないものである。
さらに、この特許文献１に係る発明では、植栽部分がシートで連結されているため、部分的な植物の取り替え等は行いにくいこととなっていた。
【００１１】
さらに、植物が植栽される植栽部材の構成も、当該特許文献１の明細書の段落［００２６］に記載されているように、植物１１を支持するための植物支持部材１８と、上部水槽１４内の水を植物支持部材１８及び植物１１に供給するためのシート部材１９と、開口部１２に対向するケース１０の背面に固定されるボード２０からなる三層構造とされており、このような構造によっても、装置の構成が一層複雑なものとなっている。
【００１２】
そして、以上のように構成が複雑となることで、装置の製造コストも高くつくこととなる。
【先行技術文献】
【特許文献】
【００１３】
【特許文献１】実用新案登録第３１２９１７６号公報
【発明の概要】
【発明が解決しようとする課題】
【００１４】
本発明は、このような問題点を解決するためになされたもので、上記特許文献１に開示された室内緑化装置に比べて構造が簡易で取り扱いも著しく容易となり、製造コストも低減することができるとともに、室内における装飾効果を高めることができ、
しかも、植物に供給する水は、複数の容器ユニットを支持することができる支持部材ごとに調整することができ、植物の取り替えは容器ユニットごとに行うことができる緑化用の容器ユニットシステムと、その容器ユニットシステムを用いた緑化工法を提供することを課題とする。
【課題を解決するための手段】
【００１５】
本発明は、このような課題を解決するために、土壌等の植栽基盤とポット苗植物とが収容可能な容器ユニット本体の一面側に、該容器ユニット本体内に収容されるポット苗植物の植物体の部分を外部に裸出させうる開口部が形成された容器ユニットと、該容器ユニットを支持する支持部材とからなり、該支持部材には、前記容器ユニットを該支持部材に支持させた状態で前記容器ユニットと接触して該容器ユニット内に供給し得る水を貯留することができる貯水部が設けられていることを特徴とする緑化用の容器ユニットシステムを提供するものである。
【００１６】
支持部材には、たとえば容器ユニット本体の掛止部に掛止可能な掛止板が設けられる。この掛止部としては、たとえば容器ユニット本体の底面側に凹状に形成されたようなものが用いられる。
【００１７】
さらに、支持部材の貯水部に貯留された水を容器ユニット内に浸入させる手段として、容器ユニットの底部に孔を穿設する手段が挙げられる。
【００１８】
さらに本発明は、土壌等の植栽基盤とポット苗植物とが収容可能な容器ユニット本体の一面側に、該容器ユニット本体内に収容されるポット苗植物の植物体の部分を外部に裸出させうる開口部が形成されて構成された容器ユニットと、該容器ユニットを支持させた状態で前記容器ユニットと接触して該容器ユニット内に侵入させる水を貯留することができる貯水部を有する支持部材とを準備し、容器ユニット本体内に土壌等の植栽基盤とポット苗植物を収容するとともに、該ポット苗植物の植物体の部分を前記容器ユニット本体の一面側の開口部から外部に裸出させ、前記貯水部内の水が前記容器ユニット内に侵入しうるように、該容器ユニットを前記支持部材に支持させて施工することを特徴とする緑化工法を提供するものである。
【００１９】
このような緑化工法において、水を浸入させるための孔を容器ユニットの底部に形成し、容器ユニットを支持部材に支持させるとともに、該容器ユニットの底部を前記支持部材の貯水部に貯留された水に浸漬させることによって、前記容器ユニットの底部の孔から前記支持部材の貯水部内の水を前記容器ユニット内に浸入させることができる。
【００２０】
また、容器ユニット本体に掛止部を設けるとともに、該掛止部に掛止可能な１対の掛止板を支持部材に設け、該掛止板に前記掛止部を掛止させることによって、容器ユニットを支持部材に支持させることも可能である。
【発明の効果】
【００２１】
本発明は、上述のように、土壌等の植栽基盤とポット苗植物とが収容可能な容器ユニット本体の一面側に、該容器ユニット本体内に収容されるポット苗植物の植物体の部分を外部に裸出させうる開口部が形成された容器ユニットと、該容器ユニットを支持する支持部材とからなり、該支持部材には、前記容器ユニットを該支持部材に支持させた状態で前記容器ユニットと接触して該容器ユニット内に供給し得る水を貯留することができる貯水部が設けられているものであるため、このような容器ユニットの容器ユニット本体内に土壌等の植栽基盤を収容するとともにポット苗植物を収容し、そのポット苗植物の植物部分を、容器ユニット本体の一面側の開口部から外部に裸出させ、このように植栽基盤とポット苗植物が収容されてその植物部分が外部に裸出された容器ユニットを支持部材に支持させることで、該支持部材の貯水部内の水が容器ユニットに接触し、それによって貯水部内の水を容器ユニット内に供給することができ、上記従来の特許文献１記載の技術のように、循環水ポンプを設ける等の複雑な構成が不要であり、システム全体が簡易となり、施工も簡易に行うことができるという効果がある。
【００２２】
また支持部材の貯水部は、その貯水部内に貯水した水が、容器ユニットを支持部材に支持させた状態で該容器ユニットに接触しうるように構成されているため、灌水等によって水が飛散するようなこともなく、室内用の壁面緑化に適したシステムを提供することができるという効果がある。
【００２３】
さらに、屋外の壁面緑化等においても、従来では植栽部分にパイプ等を設置し、ノズル等を介して散水或いは滴下する等によって灌水が行われていたが、本発明においては、上記のように支持部材の貯水部内に貯水した水が、容器ユニットを支持部材に支持させた状態で該容器ユニットに接触しうるように構成されているため、パイプやノズル等を用いた散水、滴下等も不要となり、従って屋外の壁面緑化に本発明を適用する場合においても、従来に比べて施工が著しく簡易になるという効果がある。
【００２４】
さらに、容器ユニットを支持部材に支持させるだけで施工ができるので、容器本体をコンパクトにすることによって、室内壁面緑化の施工のみならず撤去も容易にすることができるという効果がある。また、通常のポット植物等、流通性の高い植物をそのまま植え付けることができるので、特別な養生が不要であるとともに、低コストの施工を実現することができるという効果がある。また、ポット植物の生育状態が悪い容器ユニットを部分的に取り替える等の作業も容易に行えるという効果がある。
さらに、植物に供給する水は、複数の容器ユニットを支持することができる支持部材ごとに調整することができ、植物の取り替えは容器ユニットごとに行うことができるという効果がある。
【図面の簡単な説明】
【００２５】
【図１】一実施形態の緑化用の容器ユニットの開口状態を示す概略平面図。
【図２】図１のＡ−Ａ線半裁断面図。
【図３】図１のＢ−Ｂ線断面図。
【図４】図１のＣ−Ｃ線断面図。
【図５】容器ユニット本体の空間部内に所定の高さまで土壌を収容した状態を示す断面図。
【図６】容器ユニット本体の空間部内にポット苗植物を収容した状態の断面図。
【図７】ポット苗植物を収容後に、容器ユニット本体の空間部内に土壌を再度収容した状態の断面図。
【図８】蓋体を閉じた状態の断面図。
【図９】蓋体を閉じた状態の半裁断面図。
【図１０】支持部材の概略平面図。
【図１１】図１０のＡ−Ａ線拡大端面図。
【図１２】図１０のＢ−Ｂ線拡大断面図。
【図１３】図１０のＣ部拡大平面図。
【図１４】什器の概略正面図。
【図１５】什器の概略側面図。
【図１６】容器ユニットの掛止部を支持部材の掛止板に掛止させた状態の概略断面図。
【図１７】容器ユニットの掛止部を支持部材の掛止板に掛止させた状態の概略斜視図。
【図１８】什器に支持部材を設置するとともに、支持部材に容器ユニットと棚板を設置した状態を示す概略正面図。
【発明を実施するための形態】
【００２６】
以下、本発明の実施形態について図面に従って説明する。
【００２７】
本実施形態の緑化用容器ユニットシステムは、図１乃至４に示すような容器ユニット２０と、図１０乃至図１３に示すような支持部材４０と、図１４および図１５に示すような什器５０とからなる。
【００２８】
緑化用容器ユニットは、図１乃至４に示すように、上面開口型の容器ユニット本体１と、該容器ユニット本体１の上面開口部２を開閉自在とする蓋体３とで構成されている。容器ユニット本体１と蓋体３とは、ヒンジ部４を介して連設されている。容器ユニットの材質は特に限定されるものではないが、本実施形態では、容器ユニット本体１、蓋体３、及びヒンジ部４の全体が合成樹脂によって一体成形によって構成されている。容器ユニット本体１、蓋体３、ヒンジ部４を構成する合成樹脂の種類は、特に限定されるものではないが、ポリエチレン、ポリプロピレン、ポリスチレン、ポリエステルなどの汎用性の合成樹脂を好適に用いることができる。特に、耐候性のポリプロピレンを用いるのが望ましい。
【００２９】
容器ユニット本体１は、上述のように上面開口型のものであり、図１乃至図３に示すように、四方の側面部１ａ、１ｂ、１ｃ、１ｄと、底面部１ｅとで構成されている。そして、四方の側面部１ａ、１ｂ、１ｃ、１ｄは、上側から下側に向かってわずかに斜め内向きのテーパ状となるように形成されている。
【００３０】
容器ユニット本体１の内部には、土壌等の植栽基盤と、ポット苗植物とが収容される空間部５が形成されている。植栽基盤としては、たとえば後述する土壌３０が用いられ、このような土壌３０として人工土壌、天然土壌のいずれをも使用することができる。ポット苗植物３１は、後述のように、植物の根を埋設している根鉢３３の部分と、該根鉢３３から立設する植物体３２の部分とで構成され、容器ユニット本体１内では、ポット苗植物３１は横向きに収納される。
【００３１】
そして、横向きに収納されたポット苗植物３１の植物体３２の部分を、容器ユニット本体１の外側に裸出させる開口部６が、該容器ユニット本体１の側面に形成されている。この側面の開口部６は、該容器ユニット本体１の側面の上縁部から、湾曲した略Ｕ字状となるように切り欠いて形成されたものであり、このように容器ユニット本体１の側面を切り欠いて形成することで、前記上面の開口部２と連通状態とされている。このように側面の開口部６は、容器ユニット本体１の側面を切り欠いて形成されているので、図１乃至図３のように蓋体３を開いた状態では開口部というよりもむしろ切欠部であるが、蓋体３を閉じた状態では、図８及び図９に示すように容器ユニット本体１の側面の上縁部に蓋体３が当接するので、開口部の形態となる。
【００３２】
そして、該側面の開口部６が形成された容器ユニット本体１の側面側には、フード部７が外向きに突出して形成されている。このフード部７は、両側面部７ａ、７ｂと底面部７ｃとの三方を包囲するように形成されている。また、この容器ユニット本体１のフード部７と同じ方向に、蓋体３にもフード部８が突出して形成されている。そして、蓋体３を閉じた状態においては、容器ユニット本体１のフード部７と蓋体３のフード部８とで四方が包囲された状態となる。また、この容器ユニット本体１及び蓋体３のフード部７、８には、略長方形状の孔９が、多数穿設されている。この孔９は、図１に示すように、２列に整列して等間隔に形成されている。
【００３３】
このフード部７、８は、本来はポット苗植物３１の植物体３２の部分に対して風圧を軽減するためのもので、容器ユニット２０を屋外で用いる時には機能するものであるが、本実施形態のように室内緑化で使用される場合には、特に機能を発揮するものではない。
【００３４】
また、容器ユニット本体１の底面部１ｅのほぼ中央には、凹部１０が形成されている。この凹部１０は、図３に示すように、上面側がわずかに凹状となるように形成されており、従って、下面側は、同図のように、わずかに突状となるように形成されている。また、この凹部１０と略同形状の凹部１１が、図４のように蓋体３の略中央にも形成されている。
【００３５】
前記容器ユニット本体１の凹部１０には、図１に示すように、細長い長方形状の複数の長孔１２が穿設されている。この長孔１２は、後述する支持部材４０に容器ユニット２０を支持させたときに、該支持部材４０の貯水部４５内の水を該容器ユニット２０内に浸入させるためのものである。この長孔１２と略同形状の長孔１３が前記蓋体３の凹部１１にも穿設されているが、蓋体３の凹部１１の長孔１３は、特に水を浸入させる機能を有するものではない。
【００３６】
さらに、蓋体３の裏面側の所定位置には、図２及び図４に示すように突出部１４が形成されている。この突出部１４は、蓋体３を閉じたときに、容器ユニット本体１の側面開口部６を形成する周縁部６ａのうち、後述の図８及び図９のように、比較的上側の周縁部６ｂに接触するように形成されている。
【００３７】
また、容器ユニット本体１の上端部周縁には、図１に示すように、フランジ１５がわずかに外向きに突出形成されている。このフランジ１５には、略等間隔に複数の孔１６が穿設されており、この孔１６に挿入可能な突起１７が、蓋体３の裏面側に略等間隔に形成されている。
【００３８】
さらに、側面の開口部６が形成された容器ユニット本体１の側面部１ａと対面する側面部１ｃには、図２に示すように、複数の長孔１８が穿設されている。この長孔１８は、同図のように上下２列に整列して配設されている。
【００３９】
さらに、前記側面の開口部６が形成された側面部１ａ及び長孔１８が穿設された側面部１ｃと隣接する長手方向の側面部１ｂ、１ｄには、図２に示すようにそれぞれ縦方向にリブ１９が形成されている。
【００４０】
支持部材４０は、図１０及び図１３に示すように、細長いレール状に形成されたものであり、図１１及び図１２に示すように、断面が略凹字状に形成されている。該支持部材４０の材質は特に限定されるものではないが、本実施形態では全体がステンレスで構成されている。
【００４１】
支持部材４０は、図１０乃至図１３に示すように、容器ユニット２０を支持すべく、該容器ユニット２０の掛止部２８、２９に掛止可能な１対の掛止板４１、４１を左右に有し、前記容器ユニット２０の底部が載置可能な載置部４２、４２が、前記掛止板４１、４１に連設されている。さらに、該載置部４２、４２から段差部４３、４３を介して支持部材４０の底部４４が形成されている。そして、この底部４４と段差部４３、４３とで包囲された空間部が、容器ユニット２０に浸入させるための水を貯留する貯水部４５として形成されている。
【００４２】
支持部材４０の両端部側には、１対の側板４６、４６が設けられており、該側板４６、４６の両側には、図１２に示すように掛止板４１、４１の外側に突出する突出片４７、４７が形成されている。そして、該突出片４７、４７の下部には図１２に示すように、溝部４８、４８が形成されている。この溝部４８、４８には、ボルト４９、４９が挿入され、そのボルト４９、４９によって、前記側板４６、４６を介して支持部材４０が什器５０に取り付けられることとなる。
【００４３】
什器５０は、図１４及び図１５に示すように、全体が家具の本棚のような構成からなるものである。すなわち、什器５０は、同図のように天板５１ａ、１対の側板５１ｂ、５１ｂ、底板５１ｃからなるものである。そして、この什器５０に、棚として上記支持部材４０が設置されることになるが、この図１４及び図１５では、棚の部分は仮想線で示されており、この位置に前記支持部材４０が設置されることとなり、その支持部材４０に、前記容器ユニット２０が設置され、或いは棚板５２が載置されることとなる。
【００４４】
より詳細には、支持部材４０には、棚板５２が載置される部分と、前記容器ユニット２０が掛止される部分とを併存させることができ、棚板５２が載置される部分と容器ユニット２０が掛止される部分とを適宜組み合わせて併存させることによって、１段の棚に、容器ユニット２０が設置されて植栽がなされる部分と、棚板５２が載置されて本棚等として使用される部分とが併存することとなる。
【００４５】
什器５０の側板５１ｂには、図１５に示すように多数の孔５３が上下に穿設されている。
【００４６】
次に、上記のような構成からなる緑化用の容器ユニットシステムを用いて、本発明の緑化工法の一実施形態である室内緑化を行う工法について説明する。
【００４７】
先ず、支持部材４０を、図１４の仮想線に示すように、什器５０の棚となる部分に設置する。より具体的には、什器５０の棚となる部分に支持部材４０を配置するとともに、支持部材４０の側板４６の突出片４７に形成された図１２及び図１８に示す溝部４８に、図１３に示すようにボルト４９又は棚ダボを挿入し、そのボルト４９又は棚ダボを、什器５０の側板５１ｂの孔５３に挿通させることによって、支持部材４０が什器５０の棚となる部分に設置されることとなる。
【００４８】
支持部材４０は、必要に応じて什器５０内に複数段（図１４においては２段）取り付ける。また支持部材４０の貯水部４５内には、予め水を貯留しておく。
【００４９】
次に、このようにして設置された支持部材４０に、容器ユニット２０と棚板５２とを組み合わせながら適宜設置する。その際、容器ユニット２０には、予めポット苗植物３１を収容する。
【００５０】
その手順について説明すると、先ず、図１及び図２に示すように、容器ユニット  の蓋体３を開いて上面の開口部２を開口させた状態で、図５に示すように、植栽基盤としての土壌３０を容器ユニット本体１の空間部５内に収容する。土壌３０として人工土壌と天然土壌のいずれを用いてもよいことは、上述のとおりである。この場合、容器ユニット本体１の側面の開口部６の周縁部６ａにおける下縁部６ｃの位置まで土壌３０を収容する。これは、側面の開口部６からポット苗植物３１の植物体３２の部分を裸出させる必要があり、その際に、植物体３２の位置が側面の開口部６の位置に合致するように、ポット苗植物３１を容器ユニット本体１内に設置する高さを調整するためである。
【００５１】
次に、ポット苗植物３１を容器ユニット本体１の空間部５内に収容し、図６に示すように前記土壌３０の上に載置する。このとき、同図のようにポット苗植物３１の植物体３２の部分を側面の開口部６から裸出させる。従って、土壌３０の上に載置されるのは、ポット苗植物３１の根鉢３３の部分である。
【００５２】
次に、図７に示すように、さらに土壌３０を容器ユニット本体１の空間部５内に収容し、すでに収容されている土壌３０上に載置されていたポット苗植物３１の根鉢３３の部分を埋設する。
【００５３】
その後、図８及び図９に示すように、蓋体３を閉じる。この場合、ヒンジ部４を介して蓋体３を回動させ、蓋体３の突起１７を容器ユニット本体１のフランジ１５の孔１６に挿入することで、蓋体３を閉じた状態が確実に維持されることとなる。
【００５４】
このようにして容器ユニット本体１内に土壌３０及びポット苗植物３１が収容された容器ユニット２０を複数個準備し、前記支持部材４０に設置する。より具体的には、容器ユニット２０の掛止部２８、２９を、図１７および図１８に示すように、支持部材４０の掛止板４１、４１に掛止させる。これによって、複数の容器ユニット２０は、ガタつくことなく、確実に支持部材４０上に設置されることとなり、各容器ユニット２０が支持部材４０から離脱するようなこともない。
【００５５】
このようにして複数の容器ユニット２０は、図１７及び図１８のように支持部材４０に支持された状態で、什器５０の棚となる部分に配置されることとなる。この場合において、複数の容器ユニット２０は、図１９に示すように支持部材４０上の所定の位置に設置され、容器ユニット２０が設置されていない支持部材４０上には、同図のように棚板５２が設置されることとなる。
【００５６】
このように容器ユニット２０と棚板５２とを適宜配置することで、什器５０の棚となる部分に変化を持たせることができるが、相互に隣接する容器ユニット２０、２０間に間隔を隔てることなく、従って棚板５２を設置せずに容器ユニット２０のみを什器５０内に配置することも可能である。
【００５７】
この場合において、容器ユニット本体１の底面部１ｅの凹部１０には、細長い長方形状の複数の長孔１２が穿設されているため、支持部材４０の貯水部４５に貯留されていた水は、長孔１２を介して容器ユニット２０内に浸入することとなり、浸入した水は、容器ユニット本体１内に収容されている土壌３０や、ポット苗植物３１の根鉢３３の部分に浸透することとなり、土壌３０やポット苗植物３１に対して、灌水として機能することとなる。
【００５８】
さらに、容器ユニット本体１の後方の側面部１ｃには長孔１８が穿設されているので、灌水としての機能が奏されるだけでなく、容器ユニット本体１内の通気性も維持されることとなる。
【００５９】
また、個々の容器ユニット本体１へのポット苗植物３１の収容作業も、上述のように上面の開口部２から土壌３０を先ず容器ユニット本体１の空間部５内の所定位置の高さまで収容し、次にその土壌３０上にポット苗植物３１を載置するとともに、側面の開口部６から該ポット苗植物３１の植物体３２の部分を外側に裸出させ、その後にポット苗植物３１の根鉢３３の部分を覆うように土壌３０を再度収容して、空間部５内を満杯の状態とすることで、土壌３０やポット苗植物３１の収容作業自体も簡易に行うことができる。従って、その分、施工性も良好となる。
【００６０】
このように、複数の容器ユニット２０が設置された什器５０の前面側においては、図１９に示すように、該容器ユニット２０に収容されたポット苗植物３１による室内壁面緑化が行われるのであるが、容器ユニット２０が設置されない部分においては、同図のように棚板５２が設置され、その棚板５２の上に書籍５４等が載置されるため、室内壁面緑化と家具什器を融合したデザイン性の高い室内装飾を提供することが可能となる。
【００６１】
尚、上記実施形態では、容器ユニット本体１が、四方に側面部１ａ、１ｂ、１ｃ、１ｄを有する有底四角筒状に形成されていたが、容器ユニット本体１の形状は該実施形態に限定されるものではなく、たとえば有底円筒状に形成されたようなものであってもよく、また、他の形態のものであってもよい。ただし、側面の開口部６の形成し易さ、支持部材４０に支持させて什器５０に配置する場合の作業性等の観点からは、上記実施形態のように有底四角筒状に形成されることが好ましい。
【００６２】
また、上記実施形態では、四方の側面部１ａ、１ｂ、１ｃ、１ｄが上側から下側に向かってわずかに斜め内向きのテーパ状となるように形成されていたが、このように四方の側面部を斜め内向きのテーパ状となるように形成することは本発明に必須の条件ではない。
【００６３】
さらに、上記実施形態では、什器５０の前面側にのみポット苗植物３１の植物部分を現出させる場合について説明したが、前後両面にポット苗植物３１の植物部分を現出させるように容器ユニット２０を配置することも可能である。この場合、複数配置された容器ユニット２０について、ポット苗植物３１の植物部分が、交互に前面側と後面側に向くように、隣接する容器ユニット２０の開口部６を反対側に向かせて配置することも可能である。また、ポット苗植物３１の植物部分が、支持部材４０の列ごとに前面側と後面側に向くように、容器ユニット２０を配置することも可能である。
【００６４】
さらに、上記実施形態では、什器５０に設置された支持部材４０に容器ユニット２０と棚板５２とを併存して設置したが、容器ユニット２０のみを設置することも可能である。また、上記実施形態では支持部材４０の１列の棚部分には容器ユニット２０を設置するとともに、他の列の棚部分には容器ユニット２０と棚板５２とを併存したが、全体の支持部材４０の半分ずつに容器ユニット２０と棚板５２とを設置することも可能である。
【００６５】
さらに、支持部材４０の列ごとに植物種を代えて容器ユニット２０を設置することも可能である。
【００６６】
さらに、容器ユニット本体１の材質も上記実施形態のポリプロピレン、ポリエチレン、ポリスチレン等の汎用性の合成樹脂に限らず、また合成樹脂以外の素材のものを用いることも可能である。
【００６７】
また、上記実施形態では、支持部材４０としてステンレス製のものを用いたが、支持部材４０の材質も該実施形態のステンレスに限らず、他の金属であってもよく、また金属以外の素材、たとえば合成樹脂で構成することも可能である。
【００６８】
さらに、上記実施形態では、什器５０を用い、その什器５０の棚の部分に支持部材４０を設置し、そのように設置された支持部材４０に容器ユニット２０を支持させるように構成したが、このような什器５０を用いることは本発明に必須の条件ではなく、単に支持部材４０を床面に載置し、その床面に載置された支持部材４０に容器ユニット２０を支持させて室内緑化を行うことも可能である。
【００６９】
さらに、上記実施形態では、本発明の容器ユニットシステムを室内緑化に適用する場合について説明したが、室内緑化に限らず、屋外の壁面緑化に適用することも可能である。屋外の壁面緑化に適用する場合にも、従来のようにパイプやノズル等を用いた散水、滴下等を行う必要がなく、施工が簡易化されることとなる。
【符号の説明】
【００７０】
１  容器ユニット本体
２  開口部
３  蓋体
６  開口部
１２  孔
２０  容器ユニット
２８  掛止部
２９  掛止部
３１  ポット苗植物
３２  植物体
４０  支持部材
４１  掛止板
４５  貯水部
【図１】
2010220523.tif 000003
【図２】
2010220523.tif 000004
【図３】
2010220523.tif 000005
【図４】
2010220523.tif 000006
【図５】
2010220523.tif 000007
【図６】
2010220523.tif 000008
【図７】
2010220523.tif 000009
【図８】
2010220523.tif 000010
【図９】
2010220523.tif 000011
【図１０】
2010220523.tif 000012
【図１１】
2010220523.tif 000013
【図１２】
2010220523.tif 000014
【図１３】
2010220523.tif 000015
【図１４】
2010220523.tif 000016
【図１５】
2010220523.tif 000017
【図１６】
2010220523.tif 000018
【図１７】
2010220523.tif 000019
【図１８】
2010220523.tif 000020